(57)【要約】【課題】  コンクリート壁孔内から芯金の抜け防止を積極的に強化し、芯金に接着剤を充分充填させて、足掛具が安定してコンクリート壁面に設置されると共に脚部の取付け作業の作業性が格別に良く、脚部の成形が容易でコスト安なマンホ―ル等用足掛具を提供する。【解決手段】  足踏部２とその両側に位置する側部３とコンクリート壁内に挿入される脚部４とからなるマンホ―ル等用足掛具１において、コンクリート壁内に挿入される脚部を形成する芯金５の外周表面に、塑性加工により等間隔で放射方向に突出し芯金の軸線方向に巾をもたせた羽根７が成形され、この羽根の群が脚部の軸線方向に複数段形成されたマンホ―ル等用足掛具。【選択図】        図１
2008144394.tif 000002
【特許請求の範囲】
【請求項１】
足踏部とその両側に位置する側部とコンクリート壁内に挿入される脚部とからなるマンホ―ル等用足掛具において、前記コンクリート壁内に挿入される脚部を形成する芯金の外周表面に、塑性加工により等間隔で放射方向に突出し芯金の軸線方向に巾をもたせた羽根を成形し、この羽根の群を脚部の軸線方向に複数段形成したことを特徴とするマンホ―ル等用足掛具。
【請求項２】
足踏部とその両側に位置する側部とコンクリート壁内に挿入される脚部とからなるマンホ―ル等用足掛具において、前記コンクリート壁内に挿入される脚部を形成する芯金の外周表面に、塑性加工により等間隔で放射方向に突出し芯金の軸線方向と直角方向に巾をもたせた羽根を成形し、この羽根の群を脚部の軸線方向に複数段形成したことを特徴とするマンホ―ル等用足掛具。
【請求項３】
足踏部とその両側に位置する側部とコンクリート壁内に挿入される脚部とからなるマンホ―ル等用足掛具において、前記コンクリート壁内に挿入される脚部を形成する芯金の外周表面に、塑性加工により等間隔で放射方向に突出し芯金の軸線方向に対して傾斜方向に巾をもたせた羽根を成形し、この羽根の群を脚部の軸線方向に複数段形成したことを特徴とするマンホ―ル等用足掛具。
【請求項４】
前記コンクリート壁内に挿入される脚部を形成する芯金の先端部を円錐状に形成してその先端を尖端としたことを特徴とする請求項１又は請求項２又は請求項３に記載のマンホ―ル等用足掛具。
【請求項５】
コンクリート壁に穿設して脚部が挿入される有底孔内に設置された半固形エポキシ系接着剤を前記芯金の外周全域に分散させるようにしたことを特徴とする請求項４に記載のマンホ―ル等用足掛具。
【請求項６】
前記コンクリート壁内に挿入される脚部を形成する芯金の先端部に裁頭円錐状のテーパーを設けたことを特徴とする請求項１又は請求項２又は請求項３に記載のマンホ―ル等用足掛具。
【請求項７】
コンクリート壁に穿設して脚部が挿入される有底孔内の底部に液状エポキシ系接着剤の注入管を配置し、該注入管から液状エポキシ系接着剤を前記芯金の外周全域に分散させるようにしたことを特徴とする請求項６に記載のマンホ―ル等用足掛具。
【発明の詳細な説明】
【技術分野】
【０００１】
本発明は、足踏部とその両側に位置する側部とコンクリート壁内に挿入される脚部とを有するマンホ―ル等用足掛具に関するものである。
【背景技術】
【０００２】
従来，足踏部とその両側に位置する側部とコンクリート壁内に挿入される脚部とからなり、該コンクリート壁内に挿入される脚部を形成する芯金の表面に複数のリング状凹部を形成し、該脚部の外周にガラス繊維布を巻き付けコンクリート壁孔内に接着剤を充填させて足掛具をコンクリート壁に固定するマンホ―ル等用足掛具の取付装置がある（例えば特許文献１参照。）。
【０００３】
【特許文献１】特許第３２４４１７４号公報
【発明の開示】
【発明が解決しようとする課題】
【０００４】
ところで、前記従来の技術では、脚部の外周に巻き付けたガラス繊維布と接着剤とが協同して脚部をコンクリート壁孔内に固定しているため、足掛具の強固な固定が不十分であると共に芯金の積極的な抜け防止策に欠けているという問題があった。
【０００５】
本発明は、従来の技術の有するこのような問題点に鑑みてなされたものであり、その目的とするところは、コンクリート壁孔内から芯金の抜け防止を積極的に強化し、芯金に接着剤を充分充填させて、足掛具が安定してコンクリート壁面に設置されると共に脚部の取付け作業の作業性が格別に良く、脚部の成形が容易でコスト安なマンホ―ル等用足掛具を提供しようとするものである。
【０００６】
また、接着剤として半固形エポキシ系接着剤，液状エポキシ系接着剤等を使用してコンクリート壁面により強固に足掛具が設置されるマンホ―ル等用足掛具を提供しようとするものである。
【０００７】
上記目的を達成するために、本発明におけるマンホ―ル等用足掛具は、コンクリート壁内に挿入される脚部を形成する芯金の外周表面に、塑性加工により等間隔で放射方向に突出し芯金の軸線方向に巾をもたせた羽根を成形し、この羽根の群を脚部の軸線方向に複数段形成したこととを特徴とするものである。
【０００８】
また、コンクリート壁内に挿入される脚部を形成する芯金の外周表面に、塑性加工により等間隔で放射方向に突出し芯金の軸線方向と直角方向に巾をもたせた羽根を成形し、この羽根の群を脚部の軸線方向に複数段形成したことを特徴とするものである。
【０００９】
また、コンクリート壁内に挿入される脚部を形成する芯金の外周表面に、塑性加工により等間隔で放射方向に突出し芯金の軸線方向に対して傾斜方向に巾をもたせた羽根を成形し、この羽根の群を脚部の軸線方向に複数段形成したことを特徴とするものである。
【００１０】
また、コンクリート壁内に挿入される脚部を形成する芯金の先端部を円錐状に形成してその先端を尖端としたことを特徴とするものである。
【００１１】
また、コンクリート壁に穿設して脚部が挿入される有底孔内に設置された半固形エポキシ系接着剤を芯金の外周全域に分散させるようにしたことを特徴とするものである。
【００１２】
また、コンクリート壁内に挿入される脚部を形成する芯金の先端部に裁頭円錐状のテーパーを設けたことを特徴とするものである。
【００１３】
また、コンクリート壁に穿設して脚部が挿入される有底孔内の底部に液状エポキシ系接着剤の注入管を配置し、該注入管から液状エポキシ系接着剤を芯金の外周全域に分散させるようにしたことを特徴とするものである。
【発明の効果】
【００１４】
本発明の請求項１に記載の発明では、コンクリート壁内に挿入される脚部を形成する芯金の外周表面に、塑性加工により等間隔で放射方向に突出し芯金の軸線方向に巾をもたせた羽根を成形し、この羽根の群を脚部の軸線方向に複数段形成したので、羽根によるコンクリート壁孔内から芯金の抜け防止を強化し、芯金の外周に接着剤を充分充填させて、羽根と接着剤により足掛具の脚部である芯金が安定してコンクリート壁面に設置されるマンホ―ル等用足掛具となる。
【００１５】
また、本発明の請求項２，３に記載の発明では、コンクリート壁内に挿入される脚部を形成する芯金の外周表面に、塑性加工により等間隔で放射方向に突出し芯金の軸線方向と直角方向又は軸線方向に対して傾斜方向に巾をもたせた羽根を成形し、この羽根の群を脚部の軸線方向に複数段形成したので、羽根によるコンクリート壁孔内から芯金の抜け防止をより強化し、芯金の外周に接着剤を充分充填させて、羽根と接着剤により足掛具の脚部である芯金がより安定してコンクリート壁面に設置されるマンホ―ル等用足掛具となる。
【００１６】
また、本発明の請求項４に記載の発明では、コンクリート壁内に挿入される脚部を形成する芯金の先端部を円錐状に形成してその先端を尖端としたので、コンクリート壁孔内から芯金の抜け防止をより強化し、芯金の外周に接着剤をより充分充填させて、足掛具の脚部である芯金が安定してコンクリート壁面に設置されると共に芯金のコンクリ―ト壁孔内の挿入が容易であり、コンクリ―ト壁孔内の空気の抜きも容易にできて脚部の取付け作業の作業性が格別に良いマンホ―ル等用足掛具となる。
【００１７】
また、本発明の請求項５に記載の発明では、コンクリート壁に穿設し孔内に設置された半固形エポキシ系接着剤を前記芯金の外周全域に分散させるようにしたので、足掛具の脚部である芯金をコンクリート壁孔に簡単，容易に固定することができ、また、コンクリート壁孔に足掛具の脚部である芯金が強固に固定されるマンホ―ル等用足掛具となる。
【００１８】
また、本発明の請求項６に記載の発明では、コンクリート壁内に挿入される脚部を形成する芯金の先端部に裁頭円錐状のテーパーを設けたので、コンクリート壁孔内から芯金の抜け防止をより強化し、芯金の外周に接着剤を充分充填させて、羽根と接着剤により足掛具の脚部である芯金が安定してコンクリート壁面に設置されると共に芯金の成形が容易でコスト安なマンホ―ル等用足掛具となる。
【００１９】
また、本発明の請求項７に記載の発明では、コンクリート壁に穿設し孔内に向けて液状エポキシ系接着剤の注入管を配置し、該注入管から液状エポキシ系接着剤を前記芯金の外周全域に分散させるようにしたので、足掛具の取付部近傍の見栄えが良く、接着剤の流れがより良くなりコンクリート壁孔に足掛具の脚部である芯金が非常に強固に固定されるマンホ―ル等用足掛具となる。
【発明を実施するための最良の形態】
【００２０】
コンクリート壁内に挿入される脚部を形成する芯金の外周表面に、塑性加工により等間隔で放射方向に突出し芯金の軸線方向に巾をもたせた羽根を成形し、この羽根の群を脚部の軸線方向に複数段形成したマンホ―ル等用足掛具。
【実施例１】
【００２１】
図１ないし図４は本発明に係るマンホール等用足掛具の一の実施例に関するものであり、図１は本発明に係るマンホ―ル等用足掛具の平面図、図２はその正面図、図３はその側面図、図４は図１のＡ−Ａ断面図である。
【００２２】
図において、１は足掛具の全体を示すものであり、該足掛具１は、足踏部２とその両側に位置する側部３，３とコンクリート壁等内に挿入される脚部４，４とで構成され、これら足踏部２、側部３及び脚部４の一部とは平面視略コ字状をした鉄製の芯金５にポリプロピレン等の合成樹脂６を一体成形し防錆被覆してなるものである。
【００２３】
そして、前記コンクリート壁等内に挿入される脚部４を形成する芯金５の外周表面は、塑性加工（例えばプレス加工）により等間隔で放射方向に突出され芯金５の軸線方向に巾をもたせた羽根７を成形している。図４に示すように、羽根７は、塑性加工により芯金５の断面が略四角形８になり、羽根７の巾である辺９，９…の中心部に各羽根７，７…が突出されるようになるている。また、この羽根７の群（例えば４枚）を脚部４の軸線方向に複数段（例えば４段）形成している。
【００２４】
前記足踏部２及び側部３，３の一部の上面には、全域にわたって滑り止め模様１０，１０…が形成されており、これによって作業者等の足が足踏部２の如何なる部位に乗っても滑べることがなく安全に昇降できるようになっている。
また、前記足踏部２の両端には反射体１１，１１が取り付けられており、足踏部２の存在位置を明確にして作業者等のより安全な昇降を可能にしている。
さらに、足踏部２の内側側面の軸線方向には波形の握り部１２が形成され、足掛具１を昇降者が昇降する際に、昇降者は両足を乗せている足掛具１の数段上の足掛具１を両手で握って昇降するのが通常考えられるが、足踏部２の内側側面の軸線方向に波形を形成することで握り易くなる。
【００２５】
また、図２に示すように前記足踏部２は、水平な直線状の芯金５の全周を合成樹脂６で覆って構成され、この合成樹脂６による被覆の肉厚は中央部Ｓから側部３，３側に向けて１度ないし５度の角度で傾斜するように側部３，３側に向けて順次厚くなっている。そして、該足踏部２の下面にも前記滑り止め模様１０，１０…を設けて足掛具１はリバーシブルに使用が可能なものである。
【００２６】
以上のような構成からなる足掛具１は、後述で詳細に説明するマンホ―ル等の内壁であるコンクリ―ト壁に穿設した有底孔１３（図９参照）に足掛具１の脚部４を挿入し、該脚部４を形成する芯金５の外周表面に突出された複数の羽根７，７…が有底孔１３内に設置され、該羽根７，７…と接着剤とが協同してコンクリ―ト壁に穿設した有底孔１３内から芯金５の抜け防止が強化されると共に、芯金５に形成した各羽根７の側辺と羽根７の巾である辺９，９との部分に充分接着剤が充填されて、芯金５がコンクリ―ト壁に穿設した有底孔１３内に強固に固定され、足掛具１が安定してマンホ―ル等の内壁に設置される。
【００２７】
本実施例では、芯金５の外周表面は、塑性加工により等間隔で放射方向に突出され芯金５の軸線方向に巾をもたせた羽根７を四枚成形しているが、例えば二枚，三枚，六枚，八枚等足掛具１の大きさ、使用状況により羽根７の数は選択可能である。また、この羽根７の群を脚部４の軸線方向に四段形成しているが、これも二段，三段，五段…と選択可能である。
【実施例２】
【００２８】
図５および図６は本発明に係るマンホール等用足掛具の他の実施例に関するものであり、図５は脚部の平面図、図６は図５のＢ−Ｂ断面図である。
図において、前記コンクリート壁等内に挿入される脚部４を形成する芯金５の外周表面は、塑性加工（例えばプレス加工）により等間隔で放射方向に突出され芯金５の軸線方向と直角方向に巾をもたせた羽根７を成形している。図６に示すように、羽根７は、塑性加工により芯金５の断面が円弧状１４になり、その等分線上に各羽根７，７…が突出されるようになるている。また、この羽根７の群（例えば４枚）を脚部４の軸線方向に複数段（例えば４段）形成している。そして、本マンホ―ル等用足掛具の他の構成は実施例１と同一であるのでその説明を省略する。
【００２９】
以上のような構成からなる足掛具１は、前記脚部４を形成する芯金５の外周表面に突出された複数の羽根７，７…が芯金５の軸線方向と直角方向に延びるようになっているので、該羽根７，７…がコンクリ―ト壁に穿設した有底孔１３内に直角方向に設置され、該羽根７，７…と接着剤とが協同してコンクリ―ト壁に穿設した有底孔１３内から芯金５の抜け防止がより強化され、足掛具１が安定してマンホ―ル等の内壁に設置される。
また、本実施例でも、芯金５の外周表面は、塑性加工により等間隔で放射方向に突出され芯金５の軸線方向に巾をもたせた羽根７を四枚成形しているが、例えば二枚，三枚，六枚，八枚等足掛具１の大きさ、使用状況により羽根７の数は選択可能である。また、この羽根７の群を脚部４の軸線方向に四段形成しているが、これも二段，三段，五段…と選択可能である。
【実施例３】
【００３０】
図７および図８において、本発明に係るマンホール等用足掛具のさらに他の実施例に関するものであり、図７は脚部の平面図、図８は図７のＣ−Ｃ断面図である。
図において、前記コンクリート壁等内に挿入される脚部４を形成する芯金５の外周表面は、塑性加工（例えばプレス加工）により等間隔で放射方向に突出され芯金５の軸線方向に対して傾斜方向に巾をもたせた羽根７を成形している。図８に示すように、羽根７は、塑性加工により芯金５の断面が略四角形１５になり、羽根７の巾である辺９，９…の中央部に各羽根７，７…が突出されるようになるている。また、この羽根７の群（例えば４枚）を脚部４の軸線方向に複数段（例えば４段）形成している。そして、本マンホ―ル等用足掛具の他の構成は実施例１と同一であるのでその説明を省略する。
【００３１】
以上のような構成からなる足掛具１は、前記脚部４を形成する芯金５の外周表面に突出された複数の羽根７，７…が芯金５の軸線方向と傾斜方向に延びるようになっているので、該羽根７，７…がコンクリ―ト壁に穿設した有底孔１３内に斜め方向に設置され、該羽根７，７…と接着剤とが協同してコンクリ―ト壁に穿設した有底孔１３内から芯金５の抜け防止がより強化され、足掛具１が安定してマンホ―ル等の内壁に設置される。
また、本実施例でも、芯金５の外周表面は、塑性加工により等間隔で放射方向に突出され芯金５の軸線方向に巾をもたせた羽根７を四枚成形しているが、例えば二枚，三枚，六枚，八枚等足掛具１の大きさ、使用状況により羽根７の数は選択可能である。また、この羽根７の群を脚部４の軸線方向に四段形成しているが、これも二段，三段，五段…と選択可能である。
【実施例４】
【００３２】
図１ないし図８において、本発明に係るマンホール等用足掛具のさらに他の実施例に関するものを示す。図において、前記コンクリート壁内に挿入される脚部４を形成する芯金５の先端部を円錐状に形成してその先端を尖端１６としたものである。そして、本マンホ―ル等用足掛具の他の構成は実施例１又は実施例２又は実施例３と同一であるのでその説明を省略する。
【００３３】
以上のような構成からなる足掛具１は、前記脚部４を形成する芯金の先端部を円錐状に形成してその先端を尖端１６としたものであるので、上述の実施例１又は実施例２又は実施例３の効果に加え、芯金５のコンクリ―ト壁に穿設した有底孔１３内の挿入が容易であり、有底孔１３内の空気の抜きも容易にできて脚部４の取付け作業の作業性が格別に良い足掛具１となる。
【実施例５】
【００３４】
図９は、実施例４を構成する足掛具をコンクリート壁孔に強固に固定する施工例図であり、図に示すようにコンクリート壁に穿設し有底孔１３内に半固形エポキシ系接着剤１７を設置する（図９（ａ）参照）。そして、本マンホ―ル等用足掛具の他の構成は実施例４と同一であるので同一の符号を付してその説明を省略する。
【００３５】
以上のような構成からなる足掛具１は、コンクリート壁に穿設し有底孔１３内に先端部を円錐状に形成してその先端を尖端１６とした芯金５を挿入し、該先端の尖端１６が半固形エポキシ系接着剤１７を刺すようにして有底孔１３内に拡げて（図９（ｂ）参照）、半固形エポキシ系接着剤１７は前記芯金５の外周全域に分散されるので、足掛具１をコンクリート壁に穿設し有底孔１３に簡単，容易に固定することができる。
そして、通常のコンクリート壁に設置した足掛具の芯金の引き抜き試験は限界として略１トンの力を掛けて試験をするものであるが、本実施例で固定した芯金５の引き抜き試験においては、略３．０トンの力が掛かるまで芯金５は抜けないという実験結果となり、本実施例の足掛具はコンクリート壁に穿設し有底孔１３により強固に固定される足掛具１となる。
【実施例６】
【００３６】
図１０ないし図１２において、本発明に係るマンホール等用足掛具のさらに他の実施例に関するものであり、図１０はマンホ―ル等用足掛具の平面図（羽根７が軸線方向に巾をもたせたもの）、図１１は他の実施例の脚部の平面図（羽根７が軸線方向と直角方向にに巾をもたせたもの）、図１２はさらに他の実施例の脚部の平面図（羽根７が軸線方向に対して傾斜方向にに巾をもたせたもの）である。
図において、前記コンクリート壁内に挿入される脚部４を形成する芯金５の先端部に裁頭円錐状のテーパー１８が形成されている。そして、本マンホ―ル等用足掛具の他の構成は実施例１又は実施例２又は実施例３と同一であるので同一の符号を付してその説明を省略する。
【００３７】
以上のような構成からなる足掛具１は、前記脚部４を形成する芯金５の先端部に裁頭円錐状のテーパー１８を形成したので、上述の効果に加えて、芯金５の成形が容易でコスト安な足掛具１となる。
【実施例７】
【００３８】
図１３および図１４は、実施例６を構成する足掛具をコンクリート壁孔に強固に固定する他の施工例図であり（ｄ）は脚部の挿入前，（ｅ）は脚部の挿入後を示し、図に示すように側部３の先端側の合成樹脂６の上下部を、側部３の軸線方向に注入管１９及び注出管２０を配置する凹溝２１，２１を形成し、前記側部３にリング状で合成樹脂製の接着剤漏れ止めキャップ２２を脚部４の先端側から挿通して合成樹脂６の外周に仮設置する。そして、長い注入管１９と短い注出管２０との二本の管と液状エポキシ系接着剤２３とを用意する。そして、本マンホ―ル等用足掛具の他の構成は実施例４と同一であるので同一の符号を付してその説明を省略する。
【００３９】
以上のような構成からなる足掛具１は、コンクリート壁に穿設し有底孔１３内に先端部に裁頭円錐状のテーパー１８を形成した芯金５を挿入し、該先端に裁頭円錐が有底孔１３の底部に当接させる。そして、前記長い注入管１９の先端を合成樹脂６に形成した下部の凹溝２１に挿入して、該長い注入管１９の先端が有底孔１３内の底部近傍に配置されるようにし、短い注出管２０の先端は合成樹脂６に形成した上部の凹溝２１に挿入して、該短い注出管２０の先端が有底孔１３内のに配置されるようにする。また、前記仮設置した接着剤漏れ止めキャップ２２をコンクリート壁面に当接させる。この状態で前記下部に配置した長い注入管１９の他端側から液状エポキシ系接着剤２３を圧入すると、液状エポキシ系接着剤２３は前記芯金５の先端側から芯金５の外周全域に分散され、充分に液状エポキシ系接着剤２３が充填されると前記上部に配置した短い注出管２０の他端側から液状エポキシ系接着剤２３が流出し、この時点で液状エポキシ系接着剤２３を圧入を終了する。
【００４０】
そして、前記注入管１９及び注出管２０の他端側を上下の凹溝２１，２１のキャップ２２側で切ることにより足掛具１の取付部近傍の見栄えを良くすると共に、取付時における液状エポキシ系接着剤２３の流れがより良くなる。
そして、通常のコンクリート壁に設置した足掛具の芯金の引き抜き試験は限界として略１トンの力を掛けて試験をするものであるが、本実施例で固定した芯金５の引き抜き試験においては、略４．５トンの力が掛かるまで芯金５は抜けないという実験結果となり、本実施例の足掛具はコンクリート壁に穿設し有底孔１３に非常に強固に固定される足掛具１となる。
【００４１】
また、図１５および図１６に示すように合成樹脂製の接着剤漏れ止めキャップを有底孔１３に嵌合する短管付キャップ２４とし、前記注入管１９及び注出管２０を配置する挿通孔２５，２５が前記短管に形成されたものである。
この場合には前記コンクリート壁に穿設し有底孔１３が側部３より径が大きい場合に容易に接着剤漏れ止めキャップ２４が設置できる。
【００４２】
なお、本実施例おいては、マンホールのコンクリート壁に取り付ける足掛具を例示したが、本発明は上記した実施形態に限定されるものではなく、特許請求の範囲に記載した構成を変更しない限り、例えば岸壁，プールの内壁等のコンクリート壁に孔を穿設し脚部を固着する足掛具に実施も可能であり、さらに芯金５のみから構成される簡易な足掛具に実施も可能である。
【図面の簡単な説明】
【００４３】
【図１】本発明の実施例に係るマンホ―ル等用足掛具の平面図である。
【図２】図１の正面図である。
【図３】図１の側面図である。
【図４】図１のＡ−Ａ断面図である。
【図５】本発明の他の実施例に係るマンホ―ル等用足掛具の脚部の平面図である。
【図６】図５のＢ−Ｂ断面図である。
【図７】本発明のさらに他の実施例に係るマンホ―ル等用足掛具の脚部の平面図である。
【図８】図７のＣ−Ｃ断面図である。
【図９】足掛具をコンクリート壁孔に固定する施工例図であり、（ａ）は脚部の挿入前，（ｂ）は脚部の挿入途中，（ｃ）は脚部の挿入完了時を示す。
【図１０】本発明の他の実施例に係るマンホ―ル等用足掛具の平面図である。
【図１１】他の実施例の脚部の平面図である。
【図１２】さらに他の実施例の脚部の平面図である。
【図１３】足掛具をコンクリート壁孔に固定する他の施工例図であり、（ｄ）は脚部の挿入前，（ｅ）は脚部の挿入後を示す。
【図１４】図１３のＤ−Ｄ拡大断面図である。
【図１５】接着剤漏れ止めキャップを設置する他の施工例図である。
【図１６】図１５のＥ−Ｅ断面図である。
【符号の説明】
【００４４】
１              足掛具
２              足踏部
３              側部
４              脚部
５              芯金
７              羽根
１３            有底孔                                
１６            尖端
１７            半固形エポキシ系接着剤
１８            テーパー
１９            注入管
２３            液状エポキシ系接着剤
【図１】
2008144394.tif 000003
【図２】
2008144394.tif 000004
【図３】
2008144394.tif 000005
【図４】
2008144394.tif 000006
【図５】
2008144394.tif 000007
【図６】
2008144394.tif 000008
【図７】
2008144394.tif 000009
【図８】
2008144394.tif 000010
【図９】
2008144394.tif 000011
【図１０】
2008144394.tif 000012
【図１１】
2008144394.tif 000013
【図１２】
2008144394.tif 000014
【図１３】
2008144394.tif 000015
【図１４】
2008144394.tif 000016
【図１５】
2008144394.tif 000017
【図１６】
2008144394.tif 000018